(57)【要約】  消費可能製品パッケージ用の機能的アダプタ（２６）、及びこれを使用する方法が提供される。アダプタの機能的特徴として、例えば、密封性、流れ制御、使いやすさ等を挙げることができる。一般的な実施形態において、アダプタは、出口（３６ａ）を含む弁（３６）と、弁を封止するように構成及び配置されたキャップ（２８）とを含む。弁は、機能的特徴を与え、パッケージの取付具（２４）に取り付けられるように構成及び配置される。別の実施形態において、特定の機能的特徴をパッケージに与えるように構成された２部品アダプタを含むパッケージが提供される。【選択図】図２
2016512979.tif 000002
【特許請求の範囲】
【請求項１】
出口を含むアダプタであって、前記アダプタが、機能的特徴を与えるように構成及び配置されており、パッケージ上の取付具の少なくとも一部分を受け入れるように構成及び配置された本体部分を含む、アダプタと、
前記アダプタに取り付けて前記出口を閉鎖するように構成及び配置されたキャップと、
を含む、アダプタ組立体。
【請求項２】
前記アダプタは、ダイヤフラム、回転可能な流れ制御装置、弁構成要素、減少したサイズの前記出口、接触開放型弁、細長い円筒形延長部、略ダックビル形状を有する延長部、及びそれらの組み合わせからなる群から選択される構造部を含む、請求項１に記載のアダプタ。
【請求項３】
前記機能的特徴は、密封性、流れ制御性、消費者の口への挿入しやすさ、消費者の口への快適な挿入性、及びそれらの組み合わせからなる群から選択される、請求項１又は２に記載のアダプタ。
【請求項４】
前記パッケージは、消費可能製品を含む消費可能製品パッケージである、請求項１〜３のいずれか１項に記載のアダプタ。
【請求項５】
前記アダプタは、スリットを有する少なくとも１つのダイヤフラムを含み、前記スリットは、線、「ｘ」、三日月、及びそれらの組み合わせからなる群から選択される形状を含む、請求項１〜４のいずれか１項に記載のアダプタ。
【請求項６】
前記パッケージは、取付具通過充填型パッケージである、請求項１〜５のいずれか１項に記載のアダプタ。
【請求項７】
前記アダプタは、前記アダプタを前記取付具に接続するコネクタを含む、請求項１〜６のいずれか１項に記載のアダプタ。
【請求項８】
前記コネクタは、前記アダプタの内面上に、前記取付具の外面上のねじ切り部と協働して前記アダプタを前記取付具に取り付けるように構成されたねじ切り部を含む、請求項７に記載のアダプタ。
【請求項９】
前記コネクタは、前記アダプタを前記取付具上にスナップ嵌めするように構成及び配置された、少なくとも２つの対向する略「Ｌ」字形状の突出部を含む、請求項７に記載のアダプタ。
【請求項１０】
前記キャップは、その内面上に、前記アダプタの外面上のねじ切り部と協働して前記キャップを前記アダプタに取り付けるように構成されたねじ切り部を含む、請求項１〜９のいずれか１項に記載のアダプタ。
【請求項１１】
前記アダプタは、弁構成要素を含み、前記弁構成要素は、内部を定め、出口、コネクタ、及び回転可能な流れ制御装置を有する本体を含む、請求項１〜１０のいずれか１項に記載のアダプタ。
【請求項１２】
前記流れ制御装置は、実質的に前記弁構成要素の前記本体の幅全体に延びている、請求項１１に記載のアダプタ。
【請求項１３】
前記流れ制御装置は、前記流れ制御装置を回転させるためのハンドルを含む、請求項１１又は１２に記載のアダプタ。
【請求項１４】
前記流れ制御装置は、前記弁構成要素の回転軸線に対して直角の回転軸線を有するシリンダを含む、請求項１１〜１３のいずれか１項に記載のアダプタ。
【請求項１５】
前記シリンダは、前記シリンダの直径に対して平行な方向に前記シリンダを貫通して延びる穴を含む、請求項１４に記載のアダプタ。
【請求項１６】
前記穴は、前記弁構成要素の前記本体の内部と整列するように構成及び配置されている、請求項１５に記載のアダプタ。
【請求項１７】
前記穴は、前記流れ制御装置の回転に応じて、前記弁構成要素の前記本体の内部と完全に又は部分的に整列することができる、請求項１５又は１６に記載のアダプタ。
【請求項１８】
前記アダプタは少なくとも１つの弁構成要素を含み、製品の流量は、前記弁構成要素の前記本体の直径のサイズである出口から前記弁構成要素を出ていく製品の流量と比較すると減少する、請求項１〜１０のいずれか１項に記載のアダプタ。
【請求項１９】
前記出口は、円形、星形、長方形、正方形、三角形、半円形、楕円形、台形、三日月形、五角形、文字、数字、及びそれらの組み合わせからなる群から選択される幾何学的形状を含む、請求項１８に記載のアダプタ。
【請求項２０】
前記弁構成要素は、前記弁構成要素に圧力がかけられない限り、製品が前記出口から出ていかないように構成及び配置されている、請求項１８又は１９に記載のアダプタ。
【請求項２１】
可撓性パウチと、
前記可撓性パウチ上の取付具と、
請求項１〜２０に記載のアダプタから選択されるアダプタと、
前記アダプタに取り付けて前記出口を閉鎖するように構成及び配置されたキャップと、
を含み、
前記可撓性パウチは、製品を収容するように構成及び配置されている、パッケージ。
【請求項２２】
前記パッケージは、消費可能製品を含む消費可能製品パッケージである、請求項２１に記載のパッケージ。
【請求項２３】
栄養成分を個人に与えるための方法であって、
可撓性パウチと、
前記可撓性パウチ上の取付具と、
請求項１〜２０に記載のアダプタから選択されたアダプタと、
前記アダプタに取り付けて前記出口を閉鎖するように構成及び配置されたキャップと、
を含むパッケージを準備するステップであり、前記可撓性パウチは、消費可能製品パッケージを収容し、消費可能製品を含むように構成及び配置されている、準備するステップと、
前記個人に、自分で前記栄養成分を摂取する又は別の人に前記栄養成分を摂取させるように指示するステップと、
を含む方法。
【発明の詳細な説明】
【技術分野】
【０００１】
[0001]本開示は、一般に、パッケージに関する。より具体的には、本開示は、消費可能製品（ｃｏｎｓｕｍａｂｌｅ  ｐｒｏｄｕｃｔ）パッケージ用のアダプタ、及びこれを作製し使用する方法に関する。
【０００２】
[0002]消費可能製品用のパッケージには、様々なサイズ、形状、材料及び設計がある。これらのサイズ、形状、材料及び設計は、例えば、審美的理由で異なり得る。消費可能製品パッケージは、パッケージの審美的品質を高めるように提供できるが、消費可能製品パッケージの目的は、この目的のみに限定されるものではない。
【背景技術】
【０００３】
[0003]実際には、パッケージの審美的品質を改善することを目的とする消費可能製品パッケージは、必ずしも最適な機能又は使用をもたらすとは限らず、消費者がパッケージを取り扱う、パッケージを完全に空にする、パッケージを保管する、パッケージを積み重ねる、パッケージを陳列すること等を十分に助けるものではない場合がある。代わりに、利便性のために及び使いやすいように設計された特定の形状、サイズ、及び特徴を有する消費可能製品パッケージは、考え得る審美的利点に加えて、そうしたパッケージの消費者及び／又はユーザに対して機能的利点を与えることができる。
【発明の概要】
【発明が解決しようとする課題】
【０００４】
[0004]本開示は、消費可能製品を収容するためのパッケージに関する。このパッケージは、食物を与える際に幼児によるパッケージの取り扱いを容易にし、乳児又は幼児に食物を与える際に有利な機能的特徴を与える、機能的な最新のパッケージとすることができる。
【課題を解決するための手段】
【０００５】
[0005]１つの実施形態において、アダプタ組立体が提供され、このアダプタ組立体は、出口を有するアダプタを含む。アダプタは、機能的特徴を与え、パッケージ上の取付具（ｆｉｔｍｅｎｔ）に取り付けるように構成及び配置される。組立体は、アダプタに取り付けて出口を閉鎖するように構成及び配置されたキャップをさらに含む。１つの実施形態において、アダプタは、取付具の外面に取り付けるように構成及び配置される。さらに別の実施形態において、アダプタは、取付具の内面に取り付けるように構成及び配置される。コネクタは、アダプタの外面上に、取付具の内面上のねじ切り部又は隆起部又は凹部と協働して、アダプタを取付具に取り付けるように構成されたねじ切り部又は隆起部又は凹部を含むことができる。
【０００６】
[0006]１つの実施形態において、アダプタは、ダイヤフラム、回転可能な流れ制御装置、減少したサイズの出口、接触開放型（ｃｏｎｔａｃｔ−ｔｏ−ｏｐｅｎ）弁、細長い円筒形延長部、略ダックビル形状を有する延長部、又はそれらの組み合わせからなる群から選択される構造部を含む。
【０００７】
[0007]１つの実施形態において、機能的特徴は、密封性（ｓｐｉｌｌ−ｒｅｓｉｓｔａｎｃｅ）、流れ制御性、消費者の口への挿入しやすさ、消費者の口への快適な挿入性、又はそれらの組み合わせからなる群から選択される。
【０００８】
[0008]１つの実施形態において、パッケージは、消費可能製品を有する消費可能製品パッケージである。消費可能製品は、乳児、幼児、青年、成人及び高齢者等からなる群から選択される個人用に設計することができる。１つの実施形態において、消費可能製品パッケージは、可撓性プラスチックパウチである。この点で、パッケージは、取付具通過充填型（ｆｉｌｌ−ｔｈｒｏｕｇｈ−ｆｉｔｍｅｎｔ）パッケージとすることができる。
【０００９】
[0009]１つの実施形態において、取付具は、可撓性プラスチックパウチと共に用いるように構成された取付具である。
【００１０】
[0010]１つの実施形態において、アダプタは、取付具の少なくとも一部分を内部に受け入れるように構成及び配置された本体部分を含む。
【００１１】
[0011]１つの実施形態において、アダプタは、アダプタを取付具に接続するコネクタを含む。コネクタは、アダプタの内面上に、取付具の外面上のねじ切り部と協働してアダプタを取付具に取り付けるように構成されたねじ切り部を含むことができる。或いは、コネクタは、アダプタを取付具にスナップ嵌めするように構成及び配置された、少なくとも２つの対向する略「Ｌ」字形状の突出部を含むことができる。
【００１２】
[0012]１つの実施形態において、キャップは、その内面上に、アダプタの外面上のねじ切り部と協働してキャップをアダプタに取り付けるように構成されたねじ切り部を含む。キャップは、アダプタの出口を封止するように構成及び配置することができる。
【００１３】
[0013]別の実施形態において、パッケージが提供され、このパッケージは、取付具を有し、製品を収容するように構成及び配置された可撓性プラスチックパウチを含む。パッケージは、出口を備えたアダプタを有するアダプタ組立体をさらに含み、アダプタは、機能的特徴を与え、パッケージの取付具に取り付けるように構成及び配置される。組立体は、アダプタに取り付けて出口を閉鎖するように構成及び配置されたキャップをさらに含む。
【００１４】
[0014]１つの実施形態において、アダプタは、ダイヤフラム、回転可能な流れ制御装置、減少したサイズの出口、接触開放型弁、細長い円筒形延長部、略ダックビル形状を有する延長部、又はそれらの組み合わせからなる群から選択される構造部を含む。
【００１５】
[0015]１つの実施形態において、機能的特徴は、密封性、流れ制御性、消費者の口のへの挿入しやすさ、消費者の口への快適な挿入性、又はそれらの組み合わせからなる群から選択される。
【００１６】
[0016]１つの実施形態において、パッケージは、消費可能製品を有する消費可能製品パッケージである。消費可能製品は、乳児、幼児、青年、成人及び高齢者等からなる群から選択される個人用に設計することができる。１つの実施形態において、消費可能製品パッケージは、可撓性プラスチックパウチである。この点で、パッケージは、取付具通過充填型パッケージとすることができる。
【００１７】
[0017]１つの実施形態において、取付具は、可撓性プラスチックパウチと共に用いるように構成された取付具である。
【００１８】
[0018]１つの実施形態において、アダプタは、取付具の少なくとも一部分を内部に受け入れるように構成及び配置された本体部分を含む。
【００１９】
[0019]１つの実施形態において、アダプタは、アダプタを取付具に接続するコネクタを含む。コネクタは、アダプタの内面上に、取付具の外面上のねじ切り部と協働してアダプタを取付具に取り付けるように構成されたねじ切り部を含むことができる。或いは、コネクタは、アダプタを取付具にスナップ嵌めするように構成及び配置された、少なくとも２つの対向する略「Ｌ」字形状の突出部を含むことができる。
【００２０】
[0020]１つの実施形態において、キャップは、その内面上に、アダプタの外面上のねじ切り部と協働してキャップをアダプタに取り付けるように構成されたねじ切り部を含む。キャップは、アダプタの出口を封止するように構成及び配置することができる。
【００２１】
[0021]さらに別の実施形態において、２部品（ｔｗｏ−ｃｏｍｐｏｎｅｎｔ）のアダプタが提供され、この２部品アダプタは、機能的特徴を与えるように構成及び配置された出口を有する第１の構成要素と、第１の構成要素に取り付けて出口を閉鎖するように構成及び配置された第２の構成要素とを含む。第１の構成要素は、パッケージの取付具に取り付けるように構成及び配置される。
【００２２】
[0022]１つの実施形態において、第１の構成要素は、ダイヤフラム、回転可能な流れ制御装置、減少したサイズの出口、接触開放型弁、細長い円筒形延長部、略ダックビル形状を有する延長部、又はそれらの組み合わせからなる群から選択される構造部を含む。
【００２３】
[0023]１つの実施形態において、機能的特徴は、密封性、流れ制御性、消費者の口への挿入しやすさ、消費者の口への快適な挿入性、又はそれらの組み合わせからなる群から選択される。
【００２４】
[0024]１つの実施形態において、パッケージは、消費可能製品を有する消費可能製品パッケージである。消費可能製品は、乳児、幼児、青年、成人及び高齢者等からなる群から選択される個人用に設計することができる。１つの実施形態において、消費可能製品パッケージは、可撓性プラスチックパウチである。この点で、パッケージは、取付具通過充填型パッケージとすることができる。
【００２５】
[0025]１つの実施形態において、取付具は、可撓性プラスチックパウチと共に用いるように構成された取付具である。
【００２６】
[0026]１つの実施形態において、第１の構成要素は、取付具の少なくとも一部分を内部に受け入れるように構成及び配置された本体部分を含む。
【００２７】
[0027]１つの実施形態において、アダプタは、アダプタを取付具に接続するコネクタを含む。コネクタは、アダプタの内面上に、取付具の外面上のねじ切り部と協働してアダプタを取付具に取り付けるように構成されたねじ切り部を含むことができる。或いは、コネクタは、アダプタを取付具にスナップ嵌めするように構成及び配置された、少なくとも２つの対向する略「Ｌ」字形状の突出部を含むことができる。
【００２８】
[0028]１つの実施形態において、第２の構成要素は、その内面上に、第１の構成要素の外面のねじ切り部と協働して第２の構成要素を第１の構成要素に取り付けるように構成されたねじ切り部を含む。
【００２９】
[0029]１つの実施形態において、第２の構成要素は、第１の構成要素の出口を封止するように構成及び配置することができる。
【００３０】
[0030]さらにまた別の実施形態において、パッケージが提供され、このパッケージは、取付具を有し、製品を収容するように構成及び配置された可撓性プラスチックパウチを含む。パッケージは、機能的特徴を与えるように構成及び配置された出口を備えた第１の構成要素と、第１の構成要素に取り付けて出口を閉鎖するように構成及び配置された第２の構成要素とを有する２部品アダプタをさらに含む。
【００３１】
[0031]１つの実施形態において、第１の構成要素は、ダイヤフラム、回転可能な流れ制御装置、減少したサイズの出口、接触開放型弁、細長い円筒形の延長部、略ダックビル形状を有する延長部、又はそれらの組み合わせからなる群から選択された構造部を含む。
【００３２】
[0032]１つの実施形態において、機能的特徴は、密封性、流れ制御性、消費者の口への挿入しやすさ、消費者の口への快適な挿入性、又はそれらの組み合わせからなる群から選択される。
【００３３】
[0033]１つの実施形態において、パッケージは、消費可能製品を有する消費可能製品パッケージである。消費可能製品は、乳児、幼児、青年、成人及び高齢者等からなる群から選択される個人用に設計することができる。１つの実施形態において、消費可能製品パッケージは、可撓性プラスチックパウチである。この点で、パッケージは、取付具通過充填型パッケージとすることができる。
【００３４】
[0034]１つの実施形態において、取付具は、可撓性プラスチックパウチと共に用いるように構成された取付具である。
【００３５】
[0035]１つの実施形態において、第１の構成要素は、取付具の少なくとも一部分を内部に受け入れるように構成及び配置された本体部分を含む。
【００３６】
[0036]１つの実施形態において、アダプタは、アダプタを取付具に接続するコネクタを含む。コネクタは、アダプタの内面上に、取付具の外面上のねじ切り部と協働してアダプタを取付具に取り付けるように構成されたねじ切り部を含むことができる。或いは、コネクタは、アダプタを取付具にスナップ嵌めするように構成及び配置された、少なくとも２つの対向する略「Ｌ」字形状の突出部を含むことができる。
【００３７】
[0037]１つの実施形態において、第２の構成要素は、その内面上に、第１の構成要素の外面上のねじ切り部と協働して、第２の構成要素を第１の構成要素に取り付けるように構成されたねじ切り部を含む。
【００３８】
[0038]１つの実施形態において、第２の構成要素は、第１の構成要素の出口を封止するように構成及び配置することができる。
【００３９】
[0039]さらに別の実施形態において、パッケージ・アダプタが提供され、このパッケージ・アダプタは、内部を定める本体を有し、出口及びコネクタを有する弁構成要素を含む。出口は、スリットを有するダイヤフラムを含む。コネクタは、弁構成要素を、パッケージの取付具に取り付けるように構成される。アダプタは、弁構成要素に取り付けて出口を閉鎖するように構成及び配置されたキャップ構成要素をさらに含む。
【００４０】
[0040]１つの実施形態において、ダイヤフラムは、パッケージから製品がこぼれるのを防止するように構成及び配置される。
【００４１】
[0041]１つの実施形態において、スリットは、線、「ｘ」、三日月、又はそれらの組み合わせからなる群から選択される形状を含む。
【００４２】
[0042]１つの実施形態において、パッケージは、消費可能製品を含む消費可能製品パッケージである。消費可能製品は、乳児、幼児、青年、成人及び高齢者等からなる群から選択される個人用に設計することができる。１つの実施形態において、消費可能製品パッケージは、可撓性プラスチックパウチである。この点で、パッケージは、取付具通過充填型パッケージとすることができる。
【００４３】
[0043]１つの実施形態において、取付具は、可撓性プラスチックパウチと共に用いるように構成された取付具である。
【００４４】
[0044]１つの実施形態において、本体の内部は、取付具の少なくとも一部分を内部に受け入れるように構成及び配置される。
【００４５】
[0045]１つの実施形態において、アダプタは、アダプタを取付具に接続するコネクタを含む。コネクタは、アダプタの内面上に、取付具の外面上のねじ切り部と協働して、アダプタを取付具に取り付けるように構成されたねじ切り部を含むことができる。或いは、コネクタは、アダプタを取付具にスナップ嵌めするように構成及び配置された、少なくとも２つの対向する略「Ｌ」字形状の突出部を含むことができる。
【００４６】
[0046]１つの実施形態において、キャップ構成要素は、その内面上に、弁構成要素の外面上のねじ切り部と協働して、キャップ構成要素を弁構成要素に取り付けるように構成されたねじ切り部を含む。
【００４７】
[0047]１つの実施形態において、キャップ構成要素は、弁構成要素本体の出口を封止するように構成及び配置することができる。
【００４８】
[0048]別の実施形態において、パッケージが提供され、このパッケージは、取付具を有し、製品を収容するように構成及び配置された可撓性プラスチックパウチを含む。パッケージは、内部を定める本体を備え、出口及びコネクタを有する弁構成要素を有するアダプタをさらに含む。出口は、スリットを有するダイヤフラムを含み、コネクタは、弁構成要素を取付具に取り付けるように構成される。アダプタは、弁構成要素に取り付けて出口を閉鎖するように構成及び配置されたキャップ構成要素をさらに含む。
【００４９】
[0049]１つの実施形態において、ダイヤフラムは、パッケージから製品がこぼれるのを防止するように構成及び配置される。
【００５０】
[0050]１つの実施形態において、スリットは、線、「ｘ」、三日月、又はそれらの組み合わせからなる群から選択される形状を含む。
【００５１】
[0051]１つの実施形態において、パッケージは、消費可能製品を有する消費可能製品パッケージである。消費可能製品は、乳児、幼児、青年、成人及び高齢者等からなる群から選択される個人用に設計することができる。１つの実施形態において、消費可能製品パッケージは、可撓性プラスチックパウチである。この点で、パッケージは、取付具通過充填型パッケージとすることができる。
【００５２】
[0052]１つの実施形態において、取付具は、可撓性プラスチックパウチと共に用いるように構成された取付具である。
【００５３】
[0053]１つの実施形態において、本体の内部は、取付具の少なくとも一部分を内部に受け入れるように構成及び配置される。
【００５４】
[0054]１つの実施形態において、アダプタは、アダプタを取付具に接続するコネクタを含む。コネクタは、アダプタの内面上に、取付具の外面上のねじ切り部と協働して、アダプタを取付具に取り付けるように構成されたねじ切り部を含むことができる。或いは、コネクタは、アダプタを取付具にスナップ嵌めするように構成及び配置された、少なくとも２つの対向する略「Ｌ」字形状の突出部を含むことができる。
【００５５】
[0055]１つの実施形態において、キャップ構成要素は、その内面上に、弁構成要素の外面上のねじ切り部と協働して、キャップ構成要素を弁構成要素に取り付けるように構成されたねじ切り部を含む。キャップ構成要素は、弁構成要素本体の出口を封止するように構成及び配置することができる。
【００５６】
[0056]さらに別の実施形態において、パッケージ・アダプタが提供され、このパッケージ・アダプタは、内部を定める本体を有し、出口、コネクタ、及び回転可能な流れ制御装置を有する弁構成要素を含む。コネクタは、弁構成要素をパッケージの取付具に取り付けるように構成される。アダプタは、弁構成要素に取り付けて出口を閉鎖するように構成及び配置されたキャップ構成要素をさらに含む。
【００５７】
[0057]１つの実施形態において、流れ制御装置は、実質的に弁構成要素の本体の幅全体に延びる。
【００５８】
[0058]１つの実施形態において、流れ制御装置は、装置を回転させるためのハンドルを含む。
【００５９】
[0059]１つの実施形態において、流れ制御装置は、弁構成要素の回転軸線に対して直角の回転軸線を有するシリンダを含む。
【００６０】
[0060]１つの実施形態において、シリンダは、シリンダの直径に対して平行な方向にシリンダを貫通して延びる穴を含む。
【００６１】
[0061]１つの実施形態において、穴は、弁構成要素の本体の内部と整列するように構成及び配置される。
【００６２】
[0062]１つの実施形態において、穴は、流れ制御装置の回転に応じて、弁構成要素の本体の内部と完全に又は部分的に整列することができる。
【００６３】
[0063]１つの実施形態において、パッケージは、消費可能製品を有する消費可能製品パッケージである。消費可能製品は、乳児、幼児、青年、成人及び高齢者等からなる群から選択される個人用に設計することができる。１つの実施形態において、消費可能製品パッケージは、可撓性プラスチックパウチである。この点で、パッケージは、取付具通過充填型パッケージとすることができる。
【００６４】
[0064]１つの実施形態において、取付具は、可撓性プラスチックパウチと共に用いるように構成された取付具である。
【００６５】
[0065]１つの実施形態において、本体の内部は、取付具の少なくとも一部分を内部に受け入れるように構成及び配置される。
【００６６】
[0066]１つの実施形態において、アダプタは、アダプタを取付具に接続するコネクタを含む。コネクタは、アダプタの内面上に、取付具の外面上のねじ切り部と協働してアダプタを取付具に取り付けるように構成されたねじ切り部を含むことができる。或いは、コネクタは、アダプタを取付具にスナップ嵌めするように構成及び配置された、少なくとも２つの対向する略「Ｌ」字形状の突出部を含むことができる。
【００６７】
[0067]１つの実施形態において、キャップ構成要素は、その内面上に、弁構成要素の外面上のねじ切り部と協働して、キャップ構成要素を弁構成要素に取り付けるように構成されたねじ切り部を含む。
【００６８】
[0068]１つの実施形態において、キャップ構成要素は、弁構成要素本体の出口を封止するように構成及び配置される。
【００６９】
[0069]さらにまた別の実施形態において、パッケージが提供され、このパッケージは、取付具を有し、製品を収容するように構成及び配置された可撓性プラスチックパウチを含む。パッケージは、内部を定める本体を備え、出口、コネクタ、及び回転可能な流れ制御装置を有する弁構成要素を有するアダプタをさらに含む。コネクタは、弁構成要素を取付具に取り付けるように構成される。アダプタは、弁構成要素に取り付けて、出口を閉鎖するように構成及び配置されたキャップ構成要素をさらに含む。
【００７０】
[0070]１つの実施形態において、流れ制御装置は、実質的に弁構成要素の本体の幅全体に延びる。
【００７１】
[0071]１つの実施形態において、流れ制御装置は、装置を回転させるためのハンドルを含む。
【００７２】
[0072]１つの実施形態において、流れ制御装置は、弁構成要素の回転軸線に対して直角の回転軸線を有するシリンダを含む。
【００７３】
[0073]１つの実施形態において、シリンダは、シリンダの直径に対して平行な方向にシリンダを貫通して延びる穴を含む。
【００７４】
[0074]１つの実施形態において、穴は、弁構成要素の本体の内部と整列するように構成及び配置される。
【００７５】
[0075]１つの実施形態において、穴は、流れ制御装置の回転に応じて、弁構成要素の本体の内部と完全に又は部分的に整列することができる。
【００７６】
[0076]１つの実施形態において、パッケージは、消費可能製品を有する消費可能製品パッケージである。消費可能製品は、乳児、幼児、青年、成人及び高齢者等からなる群から選択される個人用に設計することができる。１つの実施形態において、消費可能製品パッケージは、可撓性プラスチックパウチである。この点で、パッケージは、取付具通過充填型パッケージとすることができる。
【００７７】
[0077]１つの実施形態において、取付具は、可撓性プラスチックパウチと共に用いるように構成された取付具である。
【００７８】
[0078]１つの実施形態において、本体の内部は、取付具の少なくとも一部分を内部に受け入れるように構成及び配置される。
【００７９】
[0079]１つの実施形態において、アダプタは、取付具の外面上に取り付けるように構成及び配置される。１つの実施形態において、アダプタは、アダプタを取付具に接続するコネクタを含む。コネクタは、アダプタの内面上に、取付具の外面上のねじ切り部と協働して、アダプタを取付具に取り付けるように構成されたねじ切り部を含むことができる。或いは、コネクタは、アダプタを取付具にスナップ嵌めするように構成及び配置された、少なくとも２つの対向する略「Ｌ」字形状の突出部を含むことができる。
【００８０】
[0080]さらに別の実施形態において、アダプタは、取付具の内面に取り付けるように構成及び配置される。コネクタは、アダプタの外面上に、取付具の内面上のねじ切り部又は隆起部又は凹部と協働して、アダプタを取付具に取り付けるように構成されたねじ切り部又は隆起部又は凹部を含むことができる。
【００８１】
[0081]１つの実施形態において、キャップ構成要素は、その内面上に、弁構成要素の外面上のねじ切り部と協働して、キャップ構成要素を弁構成要素に取り付けるように構成されたねじ切り部を含む。キャップ構成要素は、弁構成要素本体の出口を封止するように構成及び配置することができる。
【００８２】
[0082]さらに別の実施形態において、パッケージ・アダプタが提供され、このパッケージ・アダプタは、内部を定める本体を有し、出口及びコネクタを有する弁構成要素を含む。出口は、出口から出ていく製品の流量を減少させるように構成及び配置される。コネクタは、弁構成要素をパッケージの取付具に取り付けるように構成される。アダプタは、弁構成要素に取り付けて出口を閉鎖するように構成及び配置されたキャップ構成要素をさらに含む。
【００８３】
[0083]１つの実施形態において、製品の流量は、弁構成要素の本体の直径サイズである出口から弁構成要素を出ていく製品の流量と比較すると、減少される。
【００８４】
[0084]１つの実施形態において、出口は、円形、星形、長方形、正方形、三角形、半円形、楕円形、台形、三日月形、五角形、又はそれらの組み合わせからなる群から選択される幾何学的形状を含む。或いは、出口は、文字、さらに数字の形状を含む。
【００８５】
[0085]１つの実施形態において、パッケージは、消費可能製品を有する消費可能製品パッケージである。消費可能製品は、乳児、幼児、青年、成人及び高齢者等からなる群から選択される個人用に設計することができる。１つの実施形態において、消費可能製品パッケージは、可撓性プラスチックパウチである。この点で、パッケージは、取付具通過充填型パッケージとすることができる。
【００８６】
[0086]１つの実施形態において、取付具は、可撓性プラスチックパウチと共に用いるように構成された取付具である。
【００８７】
[0087]１つの実施形態において、本体の内部は、取付具の少なくとも一部分を内部に受け入れるように構成及び配置される。
【００８８】
[0088]１つの実施形態において、アダプタは、アダプタを取付具に接続するコネクタを含む。コネクタは、アダプタの内面上に、取付具の外面上のねじ切り部と協働して、アダプタを取付具に取り付けるように構成されたねじ切り部を含むことができる。或いは、コネクタは、アダプタを取付具にスナップ嵌めするように構成及び配置された、少なくとも２つの対向する略「Ｌ」字形状の突出部を含むことができる。
【００８９】
[0089]１つの実施形態において、キャップ構成要素は、その内面上に、弁構成要素の外面上のねじ切り部と協働して、キャップ構成要素を弁構成要素に取り付けるように構成されたねじ切り部を含む。キャップ構成要素は、弁構成要素本体の出口を封止するように構成及び配置することができる。
【００９０】
[0090]さらにまた別の実施形態において、パッケージが提供され、このパッケージは、取付具を有し、製品を収容するように構成及び配置された可撓性プラスチックパウチを含む。パッケージは、内部を定める本体を備え、出口及びコネクタを有する弁構成要素を有するアダプタをさらに含む。出口は、出口から出ていく製品の流量を減少させるように構成及び配置される。コネクタは、弁構成要素を取付具に取り付けるように構成される。アダプタは、弁構成要素に取り付けて、出口を閉鎖するように構成及び配置されたキャップ構成要素をさらに含む。
【００９１】
[0091]１つの実施形態において、製品の流量は、弁構成要素の本体の直径サイズである出口から弁構成要素を出ていく製品の流量と比較すると、減少される。
【００９２】
[0092]１つの実施形態において、出口は、円形、星形、長方形、正方形、三角形、半円形、楕円形、台形、三日月形、五角形、又はそれらの組み合わせからなる群から選択される幾何学的形状を含む。或いは、出口は、文字、さらに数字の形状を含む。
【００９３】
[0093]１つの実施形態において、パッケージは、消費可能製品を有する消費可能製品パッケージである。消費可能製品は、乳児、幼児、青年、成人及び高齢者等からなる群から選択される個人用に設計することができる。１つの実施形態において、消費可能製品パッケージは、可撓性プラスチックパウチである。この点で、パッケージは、取付具通過充填型パッケージとすることができる。
【００９４】
[0094]１つの実施形態において、取付具は、可撓性プラスチックパウチと共に用いるように構成された取付具である。
【００９５】
[0095]１つの実施形態において、本体の内部は、取付具の少なくとも一部分を内部に受け入れるように構成及び配置される。
【００９６】
[0096]１つの実施形態において、アダプタは、アダプタを取付具に接続するコネクタを含む。コネクタは、アダプタの内面上に、取付具の外面上のねじ切り部と協働して、アダプタを取付具に取り付けるように構成されたねじ切り部を含むことができる。或いは、コネクタは、アダプタを取付具にスナップ嵌めするように構成及び配置された、少なくとも２つの対向する略「Ｌ」字形状の突出部を含むことができる。
【００９７】
[0097]１つの実施形態において、キャップ構成要素は、その内面上に、弁構成要素の外面上のねじ切り部と協働して、キャップ構成要素を弁構成要素に取り付けるように構成されたねじ切り部を含む。キャップ構成要素は、弁構成要素本体の出口を封止するように構成及び配置することができる。
【００９８】
[0098]別の実施形態において、パッケージ・アダプタが提供され、このパッケージ・アダプタは、内部を定める本体を有し、出口及びコネクタを有する弁構成要素を含む。弁構成要素は、弁構成要素に圧力がかけられない限り、製品が出口から出ていかないように構成及び配置される。コネクタは、弁構成要素をパッケージの取付具に取り付けるように構成される。アダプタは、弁構成要素に取り付けて出口を閉鎖するように構成及び配置されたキャップ構成要素をさらに含む。
【００９９】
[0099]１つの実施形態において、弁構成要素は、出口を含む内側リング部分を囲む外側リング部分を含む。
【０１００】
[00100]１つの実施形態において、弁構成要素は、弁構成要素の外側リング部分に圧力がかけられない限り、製品が出口から出ていかないように構成及び配置される。
【０１０１】
[00101]１つの実施形態において、弁構成要素は、弁構成要素の回転軸線に対して実質的に平行な方向において外側リング部分に圧力がかけられると、製品が出口から出ていくことが可能になるように構成される。
【０１０２】
[00102]１つの実施形態において、パッケージは、消費可能製品を有する消費可能製品パッケージである。消費可能製品は、乳児、幼児、青年、成人及び高齢者等からなる群から選択される個人用に設計することができる。１つの実施形態において、消費可能製品パッケージは、可撓性プラスチックパウチである。この点で、パッケージは、取付具通過充填型パッケージとすることができる。
【０１０３】
[00103]１つの実施形態において、取付具は、可撓性プラスチックパウチと共に用いるように構成された取付具である。
【０１０４】
[00104]１つの実施形態において、本体の内部は、取付具の少なくとも一部分を内部に受け入れるように構成及び配置される。
【０１０５】
[00105]１つの実施形態において、アダプタは、アダプタを取付具に接続するコネクタを含む。コネクタは、アダプタの内面上に、取付具の外面上のねじ切り部と協働して、アダプタを取付具に取り付けるように構成されたねじ切り部を含むことができる。或いは、コネクタは、アダプタを取付具にスナップ嵌めするように構成及び配置された、少なくとも２つの対向する略「Ｌ」字形状の突出部を含むことができる。
【０１０６】
[00106]１つの実施形態において、キャップ構成要素は、その内面上に、弁構成要素の外面上のねじ切り部と協働して、キャップ構成要素を弁構成要素に取り付けるように構成されたねじ切り部を含む。キャップ構成要素は、弁構成要素本体の出口を封止するように構成及び配置することができる。
【０１０７】
[00107]さらに別の実施形態において、パッケージが提供され、このパッケージは、取付具を有し、製品を収容するように構成及び配置された可撓性プラスチックパウチを含む。パッケージは、内部を定める本体を有し、出口及びコネクタを有する弁構成要素を有するアダプタをさらに含む。出口は、弁構成要素に圧力がかけられない限り、製品が出口から出ていかないように構成及び配置される。コネクタは、弁構成要素を取付具に取り付けるように構成される。アダプタは、弁構成要素に取り付けて出口を閉鎖するように構成及び配置されたキャップ構成要素をさらに含む。
【０１０８】
[00108]１つの実施形態において、弁構成要素は、出口を含む内側リング部分を囲む外側リング部分を含む。
【０１０９】
[00109]１つの実施形態において、弁構成要素は、弁構成要素の外側リング部分に圧力がかけられない限り、製品が出口から出ていかないように構成及び配置される。
【０１１０】
[00110]１つの実施形態において、弁構成要素は、弁構成要素の回転軸線に対して実質的に平行な方向において外側リング部分に圧力がかけられると、製品が出口から出ていくことが可能になるように構成される。
【０１１１】
[00111]１つの実施形態において、パッケージは、消費可能製品を有する消費可能製品パッケージである。消費可能製品は、乳児、幼児、青年、成人及び高齢者等からなる群から選択される個人用に設計することができる。１つの実施形態において、消費可能製品パッケージは、可撓性プラスチックパウチである。この点で、パッケージは、取付具通過充填型パッケージとすることができる。
【０１１２】
[00112]１つの実施形態において、取付具は、可撓性プラスチックパウチと共に用いるように構成された取付具である。
【０１１３】
[00113]１つの実施形態において、本体の内部は、取付具の少なくとも一部分を内部に受け入れるように構成及び配置される。
【０１１４】
[00114]１つの実施形態において、アダプタは、アダプタを取付具に接続するコネクタを含む。コネクタは、アダプタの内面上に、取付具の外面上のねじ切り部と協働して、アダプタを取付具に取り付けるように構成されたねじ切り部を含むことができる。或いは、コネクタは、アダプタを取付具にスナップ嵌めするように構成及び配置された、少なくとも２つの対向する略「Ｌ」字形状の突出部を含むことができる。
【０１１５】
[00115]１つの実施形態において、キャップ構成要素は、その内面上に、弁構成要素の外面上のねじ切り部と協働して、キャップ構成要素を弁構成要素に取り付けるように構成されたねじ切り部を含む。キャップ構成要素は、弁構成要素本体の出口を封止するように構成及び配置することができる。
【０１１６】
[00116]さらにまた別の実施形態において、パッケージ・アダプタが提供され、このパッケージ・アダプタは、内部を定める本体を有し、コネクタ、及び本体の延長部の端部の出口を有する弁構成要素を含む。延長部は、実質的に細長い円筒形状を有する。コネクタは、弁構成要素を、パッケージの取付具に取り付けるように構成される。アダプタは、弁構成要素に取り付けて、弁構成要素の出口を封止するように構成及び配置されたキャップ構成要素をさらに含む。
【０１１７】
[00117]１つの実施形態において、パッケージは、消費可能製品を有する消費可能製品パッケージである。消費可能製品は、乳児、幼児、青年、成人及び高齢者等からなる群から選択される個人用に設計することができる。１つの実施形態において、消費可能製品パッケージは、可撓性プラスチックパウチである。この点で、パッケージは、取付具通過充填型パッケージとすることができる。
【０１１８】
[00118]１つの実施形態において、取付具は、可撓性プラスチックパウチと共に用いるように構成された取付具である。
【０１１９】
[00119]１つの実施形態において、本体の内部は、取付具の少なくとも一部分を内部に受け入れるように構成及び配置される。
【０１２０】
[00120]１つの実施形態において、アダプタは、アダプタを取付具に接続するコネクタを含む。コネクタは、アダプタの内面上に、取付具の外面上のねじ切り部と協働して、アダプタを取付具に取り付けるように構成されたねじ切り部を含むことができる。或いは、コネクタは、アダプタを取付具にスナップ嵌めするように構成及び配置された、少なくとも２つの対向する略「Ｌ」字形状の突出部を含むことができる。
【０１２１】
[00121]１つの実施形態において、キャップ構成要素は、その内面上に、弁構成要素の外面上のねじ切り部と協働して、キャップ構成要素を弁構成要素に取り付けるように構成されたねじ切り部を含む。
【０１２２】
[00122]１つの実施形態において、キャップ構成要素は、弁構成要素本体の出口を封止するように構成及び配置される。
【０１２３】
[00123]さらにまた別の実施形態において、パッケージが提供され、このパッケージは、取付具を有し、製品を収容するように構成及び配置された可撓性プラスチックパウチを含む。パッケージは、内部を定める本体を備え、コネクタ、及び本体の延長部の端部の出口を有する弁構成要素を有するアダプタをさらに含む。延長部は、実質的に細長い円筒形状を有する。コネクタは、弁構成要素を取付具に取り付けるように構成される。アダプタは、弁構成要素に取り付けて、出口を閉鎖するように構成及び配置されたキャップ構成要素をさらに含む。
【０１２４】
[00124]１つの実施形態において、パッケージは、消費可能製品を有する消費可能製品パッケージである。消費可能製品は、乳児、幼児、青年、成人及び高齢者等からなる群から選択される個人用に設計することができる。１つの実施形態において、消費可能製品パッケージは、可撓性プラスチックパウチである。この点で、パッケージは、取付具を通して充填するパッケージとすることができる。
【０１２５】
[00125]１つの実施形態において、取付具は、可撓性プラスチックパウチと共に用いるように構成された取付具である。
【０１２６】
[00126]１つの実施形態において、本体の内部は、取付具の少なくとも一部分を内部に受け入れるように構成及び配置される。
【０１２７】
[00127]１つの実施形態において、アダプタは、アダプタを取付具に接続するコネクタを含む。コネクタは、アダプタの内面上に、取付具の外面上のねじ切り部と協働して、アダプタを取付具に取り付けるように構成されたねじ切り部を含むことができる。或いは、コネクタは、アダプタを取付具にスナップ嵌めするように構成及び配置された、少なくとも２つの対向する略「Ｌ」字形状の突出部を含むことができる。
【０１２８】
[00128]１つの実施形態において、キャップ構成要素は、その内面上に、弁構成要素の外面上のねじ切り部と協働して、キャップ構成要素を弁構成要素に取り付けるように構成されたねじ切り部を含む。キャップ構成要素は、弁構成要素本体の出口を封止するように構成及び配置することができる。
【０１２９】
[00129]別の実施形態において、パッケージ・アダプタが提供され、このパッケージ・アダプタは、内部を定める本体を有し、コネクタ、及び本体の延長部の端部の出口を有する弁構成要素を含む。延長部は、略ダックビル形状を有する。コネクタは、弁構成要素をパッケージの取付具に取り付けるように構成される。アダプタは、弁構成要素に取り付けて、出口を閉鎖するように構成及び配置されたキャップ構成要素をさらに含む。
【０１３０】
[00130]１つの実施形態において、延長部のダックビル形状は、実質的に細長く、丸みのある長方形の形状を含む。出口は、実質的に細長く丸みのある長方形の形状の幅に沿って配置することができる。１つの実施形態において、延長部のダックビル形状は、消費者の口への簡単で快適な挿入をもたらす。
【０１３１】
[00131]１つの実施形態において、パッケージは、消費可能製品を有する消費可能製品パッケージである。消費可能製品は、乳児、幼児、青年、成人及び高齢者等からなる群から選択される個人用に設計することができる。１つの実施形態において、消費可能製品パッケージは、可撓性プラスチックパウチである。この点で、パッケージは、取付具通過充填型パッケージとすることができる。
【０１３２】
[00132]１つの実施形態において、取付具は、可撓性プラスチックパウチと共に用いるように構成された取付具である。
【０１３３】
[00133]１つの実施形態において、本体の内部は、取付具の少なくとも一部分を内部に受け入れるように構成及び配置される。
【０１３４】
[00134]１つの実施形態において、アダプタは、アダプタを取付具に接続するコネクタを含む。コネクタは、アダプタの内面上に、取付具の外面上のねじ切り部と協働して、アダプタを取付具に取り付けるように構成されたねじ切り部を含むことができる。或いは、コネクタは、アダプタを取付具にスナップ嵌めするように構成及び配置された、少なくとも２つの対向する略「Ｌ」字形状の突出部を含むことができる。
【０１３５】
[00135]１つの実施形態において、キャップ構成要素は、その内面上に、弁構成要素の外面上のねじ切り部と協働して、キャップ構成要素を弁構成要素に取り付けるように構成されたねじ切り部を含む。キャップ構成要素は、弁構成要素本体の出口を封止するように構成及び配置することができる。
【０１３６】
[00136]別の実施形態において、パッケージが提供され、このパッケージは、取付具を有し、製品を収容するように構成及び配置された可撓性プラスチックパウチを含む。パッケージは、内部を定める本体を備え、コネクタ、及び略ダックビル形状をもつ本体の延長部の端部の出口を有する弁構成要素を有するアダプタをさらに含む。コネクタは、弁構成要素を取付具に取り付けるように構成される。アダプタは、弁構成要素に取り付けて、出口を閉鎖するように構成及び配置されたキャップ構成要素をさらに含む。
【０１３７】
[00137]１つの実施形態において、延長部のダックビル形状は、実質的に細長く丸みのある長方形の形状を含む。出口は、実質的に細長く丸みのある長方形の形状の幅に沿って配置することができる。１つの実施形態において、延長部のダックビル形状は、消費者の口のへの簡単で快適な挿入をもたらす。
【０１３８】
[00138]１つの実施形態において、パッケージは、消費可能製品を有する消費可能製品パッケージである。消費可能製品は、乳児、幼児、青年、成人及び高齢者等からなる群から選択される個人用に設計することができる。１つの実施形態において、消費可能製品パッケージは、可撓性プラスチックパウチである。この点で、パッケージは、取付具通過充填型パッケージとすることができる。
【０１３９】
[00139]取付具は、可撓性プラスチックパウチと共に用いるように構成された取付具である。
【０１４０】
[00140]１つの実施形態において、本体の内部は、取付具の少なくとも一部分を内部に受け入れるように構成及び配置される。
【０１４１】
[00141]１つの実施形態において、アダプタは、アダプタを取付具に接続するコネクタを含む。コネクタは、アダプタの内面上に、取付具の外面上のねじ切り部と協働して、アダプタを取付具に取り付けるように構成されたねじ切り部を含むことができる。或いは、コネクタは、アダプタを取付具にスナップ嵌めするように構成及び配置された、少なくとも２つの対向する略「Ｌ」字形状の突出部を含むことができる。
【０１４２】
[00142]１つの実施形態において、キャップ構成要素は、その内面上に、弁構成要素の外面上のねじ切り部と協働して、キャップ構成要素を弁構成要素に取り付けるように構成されたねじ切り部を含む。キャップ構成要素は、弁構成要素本体の出口を封止するように構成及び配置することができる。
【０１４３】
[00143]さらに別の実施形態において、パッケージが提供され、このパッケージは、製品を収容するように構成及び配置された可撓性プラスチックパウチを含む。パッケージは、内部を定める本体を備え、出口を有する弁構成要素を有する取付品（ｆｉｔｍｅｎｔ）をさらに含む。出口は、スリットを有するダイヤフラムを含む。取付品は、弁構成要素に取り付けて出口を閉鎖するように構成及び配置されたキャップ構成要素をさらに含む。
【０１４４】
[00144]別の実施形態において、パッケージが提供され、このパッケージは、製品を収容するように構成及び配置された可撓性プラスチックパウチを含む。パッケージは、内部を定める本体を備え、出口、及び回転可能な流れ制御装置を有する弁構成要素を有する取付品をさらに含む。取付品は、弁構成要素に取り付けて出口を閉鎖するように構成及び配置されたキャップ構成要素をさらに含む。
【０１４５】
[00145]さらに別の実施形態において、パッケージが提供され、このパッケージは、製品を収容するように構成及び配置された可撓性プラスチックパウチを含む。パッケージは、内部を定める本体を備え、出口を有する弁構成要素を有する取付品をさらに含む。出口は、出口から出ていく製品の流量を減少させるように構成及び配置される。取付品は、弁構成要素に取り付けて出口を閉鎖するように構成及び配置されたキャップ構成要素をさらに含む。
【０１４６】
[00146]さらにまた別の実施形態において、パッケージが提供され、このパッケージは、製品を収容するように構成及び配置された可撓性プラスチックパウチを含む。パッケージは、内部を定める本体を備え、出口を有する弁構成要素を有する取付品をさらに含み、出口は、弁構成要素に圧力がかけられない限り、製品が出口から出ていかないように構成及び配置される。取付品は、弁構成要素に取り付けて出口を閉鎖するように構成及び配置されたキャップ構成要素をさらに含む。
【０１４７】
[00147]さらに別の実施形態において、パッケージが提供され、このパッケージは、製品を収容するように構成及び配置された可撓性プラスチックパウチを含む。パッケージは、内部を定める本体を備え、出口を有する弁構成要素を有する取付品をさらに含み、出口は、弁構成要素に圧力がかけられない限り、製品が出口から出ていかないように構成及び配置される。取付品は、弁構成要素に取り付けて出口を閉鎖するように構成及び配置されたキャップ構成要素をさらに含む。
【０１４８】
[00148]別の実施形態において、パッケージが提供され、このパッケージは、製品を収容するように構成及び配置された可撓性プラスチックパウチを含む。パッケージは、内部を定める本体、及び本体の延長部の端部の出口を備えた弁構成要素を有する取付品をさらに含む。延長部は、実質的に細長い円筒形状を有する。取付品は、弁構成要素に取り付けて出口を閉鎖するように構成及び配置されたキャップ構成要素をさらに含む。
【０１４９】
[00149]別の実施形態において、パッケージが提供され、このパッケージは、製品を収容するように構成及び配置された可撓性プラスチックパウチを含む。パッケージは、内部を定める本体、及び略ダックビル形状を有する本体の延長部の端部の出口を備えた弁構成要素を有する取付品をさらに含む。取付品は、弁構成要素に取り付けて出口を閉鎖するように構成及び配置されたキャップ構成要素をさらに含む。
【０１５０】
[00150]さらに別の実施形態において、栄養成分を個人に与える方法が提供される。この方法は、取付具を備え、製品を収容するように構成及び配置された可撓性プラスチックパウチを有するパッケージを準備することを含む。パッケージは、内部を定める本体を備え、出口及びコネクタを有する弁構成要素を有するアダプタをさらに含む。出口は、スリットを有するダイヤフラムを含む。コネクタは、弁構成要素を取付具に取り付けるように構成される。アダプタは、弁構成要素に取り付けて出口を閉鎖するように構成及び配置されたキャップ構成要素をさらに含む。この方法は、個人に、栄養成分を摂取するように指示することをさらに含む。
【０１５１】
[00151]さらにまた別の実施形態において、栄養成分を個人に与える方法が提供される。この方法は、取付具を備え、製品を収容するように構成及び配置された可撓性プラスチックパウチを有するパッケージを準備することを含む。パッケージは、内部を定める本体を備え、出口、コネクタ、及び回転可能な流れ制御装置を有する弁構成要素を有するアダプタをさらに含む。コネクタは、弁構成要素を取付具に取り付けるように構成される。アダプタは、弁構成要素に取り付けて出口を閉鎖するように構成及び配置されたキャップ構成要素をさらに含む。この方法は、個人に、栄養成分を摂取するように指示することをさらに含む。
【０１５２】
[00152]さらに別の実施形態において、栄養成分を個人に与える方法が提供される。この方法は、取付具を備え、製品を収容するように構成及び配置された可撓性プラスチックパウチを有するパッケージを準備することを含む。パッケージは、内部を定める本体を備え、出口及びコネクタを有する弁構成要素を有するアダプタをさらに含む。出口は、出口から出ていく製品の流量を減少させるように構成及び配置される。コネクタは、弁構成要素を取付具に取り付けるように構成される。アダプタは、弁構成要素に取り付けて出口を閉鎖するように構成及び配置されたキャップ構成要素をさらに含む。この方法は、個人に、栄養成分を摂取するように指示することをさらに含む。
【０１５３】
[00153]別の実施形態において、栄養成分を個人に与える方法が提供される。この方法は、取付具を備え、製品を収容するように構成及び配置された可撓性プラスチックパウチを有するパッケージを準備することを含む。パッケージは、内部を定める本体を備え、出口及びコネクタを有する弁構成要素を有するアダプタをさらに含む。出口は、弁構成要素に圧力がかけられない限り、製品が出口から出ていかないように構成及び配置される。コネクタは、弁構成要素を取付具に取り付けるように構成される。アダプタは、弁構成要素に取り付けて出口を閉鎖するように構成及び配置されたキャップ構成要素をさらに含む。この方法は、個人に、栄養成分を摂取するように指示することをさらに含む。
【０１５４】
[00154]さらに別の実施形態において、栄養成分を個人に与える方法が提供される。この方法は、取付具を備え、製品を収容するように構成及び配置された可撓性プラスチックパウチを有するパッケージを準備することを含む。パッケージは、内部を定める本体を備え、コネクタ、及び実質的に細長い円筒形状を有する本体の延長部の端部の出口を有する弁構成要素を有するアダプタをさらに含む。コネクタは、弁構成要素を取付具に取り付けるように構成される。アダプタは、弁構成要素に取り付けて出口を閉鎖するように構成及び配置されたキャップ構成要素をさらに含む。この方法は、個人に、栄養成分を摂取するように指示することをさらに含む。
【０１５５】
[00155]さらにまた別の実施形態において、栄養成分を個人に与える方法が提供される。この方法は、取付具を備え、製品を収容するように構成及び配置された可撓性プラスチックパウチを有するパッケージを準備することを含む。パッケージは、内部を定める本体を備え、コネクタ、及び略ダックビル形状を有する本体の延長部の端部の出口を有する弁構成要素を有するアダプタをさらに含む。コネクタは、弁構成要素を取付具に取り付けるように構成される。アダプタは、弁構成要素に取り付けて出口を閉鎖するように構成及び配置されたキャップ構成要素をさらに含む。この方法は、個人に、栄養成分を摂取するように指示することをさらに含む。
【０１５６】
[00156]本開示の利点は、改善された消費可能製品パッケージを提供することである。
【０１５７】
[00157]本開示のさらなる利点は、審美的に子供の気に入るものであり、しかも、子供に食物を与えるのに機能的でもある消費可能製品パッケージを提供することである。
【０１５８】
[00158]本開示の別の利点は、子供が食物を自分で摂取するのを助ける消費可能製品パッケージを提供することである。
【０１５９】
[00159]本開示のさらに別の利点は、改善された機能的特徴を有する消費可能製品パッケージを提供することである。
【０１６０】
[00160]本開示のさらに別の利点は、摂取中、容器を空にする効率を向上させる消費可能製品パッケージを提供することである。
【０１６１】
[00161]本開示の別の利点は、幼児に食物を与える間、製品が失われないようにする消費可能製品パッケージを提供することである。
【０１６２】
[00162]付加的な特徴及び利点は、本明細書で説明され、以下の詳細な説明及び図面から明らかになるであろう。
【図面の簡単な説明】
【０１６３】
【図１】従来技術の消費可能製品パッケージの斜視図である。
【図２】本開示の１つの実施形態による消費可能製品パッケージの分解斜視図である。
【図３】本開示の１つの実施形態によるパッケージ・アダプタの斜視図である。
【図４】本開示の１つの実施形態によるパッケージ・アダプタの斜視図である。
【図５】本開示の１つの実施形態によるパッケージ・アダプタの斜視図である。
【図６】本開示の１つの実施形態によるパッケージ・アダプタの斜視図である。
【図７】本開示の１つの実施形態によるパッケージ・アダプタの斜視図である。
【図８】本開示の１つの実施形態によるパッケージ・アダプタの斜視図である。
【図９】本開示の１つの実施形態によるパッケージ・アダプタの斜視図である。
【図１０】本開示の１つの実施形態によるパッケージ・アダプタの斜視図である。
【発明を実施するための形態】
【０１６４】
[00173]本明細書で使用される場合、「約」は、ある数値範囲内の数を指すものと理解される。さらに、本明細書における全ての数値範囲は、範囲内の全ての整数（ｉｎｔｅｇｅｒ）、整数（ｗｈｏｌｅ）又は分数を含むものと理解されたい。
【０１６５】
[00174]本開示及び添付の特許請求の範囲で用いられる場合、単数形「１つの（ａ）」、「１つの（ａｎ）」及び「その（ｔｈｅ）」は、文脈上に特に明確な定めがない限り、複数の指示対象も含む。従って、例えば「ポリペプチド」への言及には、２つ又はそれより多いポリペプチドの混合物が含まれ、他も同様である。
【０１６６】
[00175]本開示は、消費可能製品を収容するためのパッケージ、並びに、そうした消費可能製品パッケージ用のアダプタを提供する。アダプタは、既知の消費可能製品パッケージに、例えば、流れ制御、密封性等といった、機能的取付具の特徴を与えるように設計される。この点で、機能的なアダプタを有するパッケージは、例えば、幼児による使いやすさ、容器内容物のこぼれの防止、使用中の容器内容物の流れ制御等を含む様々な使用に合わせて注文設計する（ｃｕｓｔｏｍ  ｄｅｓｉｇｎ）ことができる。本パッケージはまた、消費者の間に購入関心及び市場性の増大ももたらすことができる。
【０１６７】
[00176]パッケージに収容される消費可能製品は、例えば、離乳食、スナック食品、主食副食全体（ｆｕｌｌ  ｍｅａｌ）、付け合わせ等を含む、いずれかの半固体、ゲル、液体、又はピューレ状の消費可能製品とすることができる。１つの実施形態において、パッケージは、例えば、果物、野菜、穀物、シリアル、パスタ等を含む、子供（例えば、乳児、幼児、未就学児等）用の食品を収容する。従って、本開示の教示は、製品が、本明細書で説明されるパッケージ内に収められ、かつ、そこから製品を取り出すことができる限り、いずれかの特定のタイプの消費可能製品にも依存するものではない。同様に、本開示の教示は、消費可能製品に限定されるものではなく、いずれの半固体、ゲル、液体、又はピューレ状組成物も含むことができる。パッケージはまた、青年、成人、及び高齢者、運動選手等用の製品を収容することもできる。
【０１６８】
[00177]１つの実施形態において、本開示のパッケージの本体は周知である。例えば、１つの実施形態において、パッケージの本体は、可撓性プラスチックパウチである。可撓性プラスチックパウチは、本開示のアダプタを取り付けることができる、パウチの縁部に配置された取付具を含む。或いは、可撓性プラスチックパウチは、パウチの縁部に配置された注文設計された取付具を含むことができる。別の実施形態において、本開示のパッケージの本体は、直立することができるが、依然として幼児が掴むと変形可能な、可撓性の柔らかい面をもったパッケージを与えるように、層状の材料から作製することができる。さらに、本体の少なくとも一部分は、消費者がパッケージの区画内にどのタイプの製品が収容されているのかを容易に識別できるように、透明又は半透明のいずれかにすることができる。或いは、本体の少なくとも一部分は、不透明にすることができる。
【０１６９】
[00178]図１に示されるように、消費可能製品を保管するための従来技術のパッケージ１０が提供される。パッケージ１０は、製品を収容するための内部区画を定める本体１２と、パッケージ１０を製品で充填する及び／又はパッケージ１０からその製品を取り出して空にするための取付具１４とを含む。そうした周知のパッケージ１０の一例が、取付具通過充填型パッケージである。本明細書で使用される場合、「取付具通過充填型」パッケージは、取付具がパウチの縁部に配置された可撓性プラスチックパウチであり、製造中、この取付具を通して消費可能製品が充填される。現在の取付具通過充填型（「ＦＴＦ」）製造プロセスは、充填ノズルから取付具を通してパッケージ内に入る製品の流れが妨げられないことを要する。しかしながら、この製造要件は、例えば、パッケージからの製品の流れ制御、製品の密封性等に役立ち得る機能的取付具の使用を許容するものではない。従って、機能的取付具をこうしたパッケージと共に使用できるようにするために、現在の製造機器を特化した充填機器と置き換える必要があるが、これには時間も費用もかかる。そのため、この解決法は、殆どの製造業者にとって理想的なものでない。
【０１７０】
[00179]代わりに、本開示は、周知のＦＴＦパッケージ（例えば、パウチ）と組み合わせて使用できる注文設計されたアダプタの使用に向けられる。現在開示されるアダプタは、典型的なＦＴＦ製造手順を可能にするが、さらに、例えば幼児による使いやすさ、容器内容物のこぼれの防止、使用中の容器内容物の流れ制御等を含む機能的利点を、消費者にもたらす。そうした構成は、非常に高度な製造機器と置き換えることに関する過度な時間と費用の消費を防ぎ、さらに、最終製品の使用中、少なくとも上述の利点を消費者にもたらす。当業者であれば、そうした構成は、あらゆる他のねじ付きパッケージ閉鎖部と共に使用することも可能であり、取付具通過充填型パッケージの閉鎖部と共に使用することに限定する必要がないことも理解するであろう。
【０１７１】
[00180]同様に、本開示は、注文設計されたアダプタ及びこれを含むパッケージに向けられるが、当業者であれば、本開示は、そうした実施形態に限定される必要がないことを理解するであろう。例えば、代替的な実施形態において、フォーム・フィル・シール（ｆｏｒｍ−ｆｉｌｌ−ｓｅａｌ）又はフィル・シール（ｆｉｌｌ−ｓｅａｌ）式製造プロセスを用いることができ、製品の充填後に注文設計された取付具をパッケージに付加することもできる。これらの代替的な実施形態は、以下でさらに論じられる。
【０１７２】
[00181]図２は、本開示によるパッケージ２０の実施形態を示す。パッケージ２０は、取付具２４と、弁構成要素２６及びキャップ構成要素２８を含む２部品の注文設計アダプタとを有する周知の消耗品パッケージ（例えば、ＦＴＦパウチ）２２を含む。弁構成要素２６は、取付具２４に取り付けられ、パッケージ２０に、例えば、流れ制御、密封性等を含む機能的特徴を与えるように設計される。キャップ構成要素２８は、弁構成要素２６と嵌合して、パッケージ２０のための閉鎖部を与えるように設計される。これらの構成要素の両方とも、以下でさらに論じられる。
【０１７３】
[00182]１つの実施形態において、図２に示されるように、弁構成要素２６は、ねじ切り部３２を有する本体３０と、コネクタ３４と、機能的特徴部３６とを含む。本体３０は、本体３０を容易に取付具２４に取り付け、所望の機能的特徴部を与えることができる限り、当技術分野において周知のいずれのサイズ又は形状を有してもよい。例えば、本体３０の形状は、取付具２４の少なくとも一部分を内部に収容できるように、また、簡単かつ快適に消費者の口に挿入できるように、略円筒形とすることができる。本実施形態において、円筒形本体３０は、当業者であれば理解することができる、適切な直径及び長さを有するべきである。本体３０は、プラスチック、金属、厚紙、又はいずれかの他の好適な材料からなる群から選択される材料から製造することができる。１つの実施形態において、本体３０は、これらに限定されるものではないが。ポリエチレン（「ＰＥ」）、低密度ポリエチレン（「ＬＤＰＥ」）、高密度ポリエチレン（「ＨＤＰＥ」）、ポリプロピレン（「ＰＰ」）、ポリスチレン（「ＰＳ」）、及びポリエチレンテレフタレート（「ＰＥＴ」）を含む、ポリマー材料を用いて製造される。本体３０は、例えば、熱成形、従来の押出ブロー成形、延伸ブロー成形、射出延伸ブロー成形等といったいずれかの好適な製造プロセスを用いて製造することができる。
【０１７４】
[00183]本体３０は、その外面上に、キャップ構成要素２８の内面上のねじ切り部（図示せず）と協働し、キャップ構成要素２８を弁構成要素２６の上にねじ込んでパッケージ２０を閉鎖できるようにする、ねじ切り部３２を含むことができる。
【０１７５】
[00184]本体３０はまた、弁構成要素２６を取付具２４に接続するコネクタ３４を含むこともできる。１つの実施形態において、図２に示されるように、コネクタ３４は、周知の取付具構成と協働するように、略「Ｌ」字形状とすることができる。この点で、コネクタ３４の短い水平部分を、取付具２４の水平方向ディスク状部分の周りにロック又はスナップ嵌めして、弁構成要素２６が取付具２４から容易に外れないようにすることができる。しかしながら、当業者であれば、コネクタ３４は、そうした構成に限定されるものではなく、弁構成要素２６が取付具２４から容易に外れないようにするいずれのコネクタ３４の構成も許容できることを理解するであろう。例えば、コネクタ３４は、取付具２４上のねじ切り部と協働するねじ切り部とすることができる。或いは、パッケージ２０の充填後、弁構成要素２６を取付具２４に接着することができる。
【０１７６】
[00185]上述のように、弁構成要素２６は、機能的特徴を消費可能製品パッケージの取付具に与えるように設計される。そうした機能的特徴として、これらに限定されるものではないが、流れ制御、密封性、取付具／アダプタの使いやすさ等を挙げることができる。例えば、図２に示されるように、弁構成要素２６は、パッケージ２０の内容物がこぼれるのを防止するように設計され、出口３６ａ（例えば、スリット）を含むダイヤフラム３６を含むことができる。ダイヤフラム３６は、パッケージ２０を傾けたとき、回転させたとき、又は他の方法でその内容物の少なくとも一部分が出るように置いたときに、パッケージ２０の内容物がこぼれるのを防止する又は実質的に減少させることができる任意の周知のダイヤフラムとすることができる。この点で、当業者であれば、ダイヤフラム３６及び出口３６ａの張力は、消費可能製品の様々な粘度に対して異なり得ることを理解するであろう。当業者であれば、ダイヤフラム３６が、密封性を与えることができる唯一の構造的特徴ではなく、従って、本開示は、そうした構造に限定されるものではないことも理解するであろう。
【０１７７】
[00186]本開示の弁構成要素内に組み込むことができる別の機能的特徴は、流れ制御である。図３に示されるように、弁構成要素４０が与えられ、この弁構成要素４０は、出口４３を有する注ぎ口部分４２と、ねじ切り部４４と、コネクタ４６と、流れ制御装置５０を有する本体部分４８とを含む。弁構成要素２６と同様に、弁構成要素４０は、取付具２４に容易に取り付けることができ、所望の機能的特徴をもたらすものである限り、当技術分野において周知のいずれのサイズ又は形状を有してもよい。例えば、注ぎ口部分４２の形状は、消費者の口に容易かつ快適に挿入されるように、略円筒形とすることができる。本実施形態において、注ぎ口部分４２は、当業者が理解することができる適切な直径及び長さを有するべきである。
【０１７８】
[00187]弁構成要素４０は、プラスチック、金属、厚紙、又はいずれかの他の好適な材料からなる群から選択される材料から製造することができる。１つの実施形態において、本体３０は、これらに限定されるものではないが、ポリエチレン（「ＰＥ」）、低密度ポリエチレン（「ＬＤＰＥ」）、高密度ポリエチレン（「ＨＤＰＥ」）、ポリプロピレン（「ＰＰ」）、ポリスチレン（「ＰＳ」）、及びポリエチレンテレフタレート（「ＰＥＴ」）を含む、ポリマー材料を用いて製造される。弁構成要素４０は、例えば、熱成形、従来の押出ブロー成形、延伸ブロー成形、射出延伸ブロー成形等のようないずれかの好適な製造プロセスを用いて製造することができる。
【０１７９】
[00188]注ぎ口部分４２は、その外面上に、キャップ構成要素２８に類似した又はこれと同じキャップ構成要素の内面上のねじ切り部（図示せず）と協働するねじ切り部４４を含むことができる。
【０１８０】
[00189]弁構成要素４０はまた、該弁構成要素４０を、取付具２４と同じ又はこれと類似したものにし得る取付具に接続するコネクタ４６を含むこともできる。１つの実施形態において、図３に示されるように、コネクタ４６は、周知の取付具構成と協働するように、略「Ｌ」字形状とすることができる。この点で、コネクタ４６の短い水平部分を、例えば取付具２４の水平方向ディスク状部分の周りにロック又はスナップ嵌めして、弁構成要素４０が取付具２４から容易に外れないようにすることができる。しかしながら、当業者であれば、コネクタ４６は、そうした構成に限定されるものではなく、弁構成要素４０が取付具２４から容易に外れないようにする任意のコネクタ４６の構成を許容できることを理解するであろう。例えば、コネクタ４６は、取付具２４上のねじ切り部と協働するねじ切り部とすることができる。或いは、パッケージ２０の充填後、弁構成要素４０を取付具２４に接着することができる。
【０１８１】
[00190]図３に示されるように、弁構成要素４０はまた、流れ制御装置５０を含む本体部分４８を含むこともできる。本体部分４８は、これらに限定されるものではないが、注ぎ口部分４２及びコネクタ４６を含む、弁構成要素４０の他の構成要素と一体的に形成することができる。或いは、本体部分４８は、弁構成要素４０の他の構成要素とは別個に形成し、それらに取り付けてもよい。本体部分４８は、図３では略正方形として示されるが、当業者であれば、本体部分４８が流れ制御装置５０を通して流れ制御をもたらすことができる限り、本体部分４８は、当技術分野において周知の任意のサイズ又は形状を有し得ることを理解するであろう。
【０１８２】
[00191]１つの実施形態において、図３に示されるように、弁構成要素４０の流れ制御装置５０は、ハンドル５０ｂを有するシリンダ５０ａと、シリンダ５０ａの回転軸線に対して略平行の方向にシリンダ５０ａを貫通して延びる穴（図示せず）とを含むことができる。このように、ハンドル５０ｂが回転すると（例えば、図３の矢印で示されるように）、シリンダ５０ａ内の穴も回転し、注ぎ口部分４２及び本体部分４８の対応する穴（図示せず）と整列状態又は非整列状態となる。従って、シリンダ５０ａ内の穴が、注ぎ口部分４２及び本体部分４８の対応する穴と完全に整列すると、弁構成要素４０が取り付けられるパッケージの内容物がパッケージから自由に流れることが可能になる。しかしながら、流れ制御装置５０がハンドル５０ｂを用いて回転されると、パッケージの内容物の流れは、シリンダ５０ａの穴と、注ぎ口部分４２及び本体部分４８の対応する穴との間の整列の程度に応じて遅くなり得る。当業者であれば、そうした流れ制御装置が、どのように動作するかを直ぐに理解するであろう。
【０１８３】
[00192]本開示の消費可能製品パッケージは、子供がパッケージから直接摂取する消費可能製品を収容することがあるので、流れ制御装置５０は、停止機構５０ｃを含むこともできる。停止機構５０ｃは、例えば、ドア、スナップ式装置、タブ、又はハンドル５０ｂの回転を防止する類似の構造とすることができる。或いは、停止機構５０ｃは、ハンドル５０ｂの回転を防止するばね機構とすることができ、このばね機構は、タブ若しくは小さいボタンを押してハンドル５０ｂの回転を可能にすることにより起動することができる。
【０１８４】
[00193]本開示のアダプタについての代替的な実施形態を提供することもできる。この関連で、パッケージのアダプタ又は弁構成要素は、レデューサ（ｒｅｄｕｃｅｒ）を用いて流れ制御をもたらすことができる。本明細書で使用される場合、「レデューサ」は、制限されたサイズの出口を提供し、弁構成要素が取り付けられるパッケージからの製品の流れを遅くすることができる、弁構成要素である。例えば図４〜６に示されるように、弁構成要素５２、５４、５６を提供することができ、これらは、本体部分５８、６０、６２と、出口６４、６６、６８とを含むことができる。これらの実施形態において、出口６４、６６、６８は、本体５８、６０、６２の外径又は幅と比較すると、減少したサイズのものになっている。従って、出口６４、６６、６８は、製品パッケージから出ていく製品の流量を減少させる。
【０１８５】
[00194]当業者であれば、本開示のアダプタは、出口が、製品パッケージから出ていく製品の流量を減少させることができる限り、任意の周知のサイズ又は形状の出口を有するレデューサを含み得ることを理解するであろう。例えば、図４に示されるように、弁構成要素５２の形状は、略円形の出口６４を含むことができる。出口６４のサイズは、０．２５インチから約１インチまで、又は０．３インチ、０．３５インチ、０．４インチ、０．４５インチ、０．５インチ、０．５５インチ、０．６インチ、０．６５インチ、０．７インチ、０．７５インチ、０．８インチ、０．８５インチ、０．９インチ、０．９５インチ等の範囲の直径を有することができる。別の実施形態においては、図５に示されるように、弁構成要素５４は、出口６４の直径と類似した幅及び／又は長さを有することができる、長方形形状の出口６６を含むことができる。さらに別の実施形態においては、図６に示されるように、弁構成要素５６は、星形状の出口６８を含むことができる。同様に、当業者であれば、現在開示される弁構成要素の出口は、出口が製品パッケージから出ていく製品の流量を減少させることができる限り、任意の周知のサイズ又は形状とすることができることを理解するであろう。従って、１つの実施形態において、弁構成要素の出口は、円形、星形、長方形、正方形、三角形、半円形、楕円形、台形、三日月形、五角形等からなる群から選択される幾何学的形状を有することができる。或いは、弁構成要素の出口は、これらに限定されるものではないが、１、２、３、Ａ、Ｂ、Ｃ等の数字又は文字の形状を有してもよい。
【０１８６】
[00195]さらに別の実施形態において、本開示の弁構成要素は、接触開放型の機能的特徴を含むことができる。例えば、図７に示されるように、弁構成要素７０は、製品パッケージの取付具に取り付けられる本体部分７２と、接触開放部分７４とを含む。接触開放部分７４は、外側リング部分７４ａに圧力がかけられない限り、弁構成要素７０からのいかなる製品の流れも防止する能力を与える。このように、接触開放部分７４を有する消費可能製品パッケージを幼児に与えた場合、幼児は、自分の唇及び／又は歯を外側リング部分７４ａ上に置いて圧力をかけ、それにより、注ぎ口部分７４ｂの出口７３を通してパッケージから消費可能製品が流れることが可能になる。
【０１８７】
[00196]さらにまた別の実施形態においては、本開示の弁構成要素は、弁構成要素が取り付けられたパッケージからの製品の流れを防止する又は遅くするシリコーンダイヤフラムを含むことができる。例えば、図８に示されるように、弁構成要素７６は、本体部分７８と、シリコーンダイヤフラム８０とを含むことができる。シリコーンダイヤフラム８０は、弁構成要素７６が取り付けられたパッケージからの製品の流れを防止する又は遅くする出口８０ａ（例えば、スリット）を内部に含むことができる。スリット８０ａは、製品の流れを妨げる又は減少させることができる、当技術分野において周知の任意のサイズ又は形状としてもよい。例えば、スリット８０ａは、図８に略「ｘ」形状として示されるが、スリット８０ａは、線形、半円形、三日月形等の形状を有してもよい。
【０１８８】
[00197]図９及び１０に示されるように、本開示の弁構成要素はまた、製品の取り出しやすさ、口への挿入しやすさ等の付加的な機能的特徴を提供することもできる。例えば、図９の弁構成要素８２は、本体部分８４と、本体部分８４から延び、出口８６を有する、細長い略円筒形のストロー部分８５とを含む。ストロー部分８５は、消費者の口に容易に挿入し、弁構成要素８２が取り付けられたパッケージから消費可能製品を容易に取り出すことを可能にする。この点で、幼児は、ストロー部分８５を自分の口に容易に挿入し、弁構成要素８２が取り付けられたパッケージの内容物を吸い出すことができる。
【０１８９】
[00198]本開示の弁構成要素は、使用の際に消費者に利点を与える他の構造細部を含むこともできる。例えば、図１０に示されるように、弁構成要素８８は、本体部分９０と、本体部分９０から延び、出口９２を有するダックビル部分９１とを含む。ダックビル部分９１は、弁構成要素８８が取り付けられたパッケージ内の消費可能製品を取り出すために、消費者の口に快適かつ容易に挿入される。
【０１９０】
[00199]前述のように、本開示の特注アダプタは、弁構成要素に加えて、適合するように作られた（ｃｕｓｔｏｍ−ｆｉｔ）キャップを含むことができる。当業者であれば、適合するように作られたキャップは、該キャップが弁構成要素と嵌合して弁構成要素を閉鎖し、パッケージを外部汚染から遮断するように設計される限り、当技術分野に周知の任意のサイズ又は形状にできることも理解するであろう。また、当業者であれば、キャップの寸法は、キャップが設計された弁構成要素の形状及びサイズに応じて変化し得ることも理解するであろう。例えば、パッケージ２０のキャップ２８は、弁構成要素２６と嵌合するだけでなく、図３〜８の弁構成要素４０、５２、５４、５６、７０、７６とそれぞれ嵌合するように設計することもできる。或いは、図９及び１０の弁構成要素８２、８８がそれぞれ、異なるサイズ及び形状を有するキャップを必要とすることがある。使用中、パッケージ内の製品にアクセスするために、現在開示されているアダプタのキャップ構成要素は取り外されるが、弁構成要素は、パッケージの取付具に取り付けられたままである。
【０１９１】
[00200]本開示でここまで論じられた弁構成要素及びキャップ構成要素は、周知の製品パッケージに後付けすることができる。例えば、ここまで説明された２部品アダプタは、現在周知の取付具と共に動作するように設計することができ、既存の製品製造ライン（例えば、ＦＴＦパウチ充填ライン）において用いることができる。２部品アダプタを予め組み立てて、既存の製造ライン（例えば、ＦＴＦパウチ充填ライン）において単一の構成要素として用いることができる。或いは、２部品アダプタは、初めに弁構成要素を周知の取付具に取り付けてから、特注キャップを弁構成要素に取り付ける、２段階プロセスで、周知の製品パッケージと共に組み立てることができる。これらの注文設計アダプタは、製造者が、特定の消費者（例えば、乳児、幼児、運動選手等）をターゲットとする機能的利益（例えば、流れ制御、密封性等）を有する固有の取付具を供給できるようにする。
【０１９２】
[00201]代替的な実施形態において、本開示の２部品アダプタは、既存の取付具の使用を必要としない製造ライン（例えば、ＦＴＦ製造ライン）と共に使用することができる。代わりに、２部品アダプタは、充填後に２部品アダプタを製品パッケージに取り付けることができる製造ラインと共に使用することもできる。例えば、２部品アダプタは、フォーム・フィル・シール（「ＦＦＳ」）プロセス又はフィル・シール（「ＦＳ」）プロセスを介してパッケージを充填した後に、製品パッケージ（例えばパウチ）に取り付けることができる。この関連で、本開示の注文設計された２部品アダプタは、周知の取付具に後付けする必要がなく、むしろ、消費可能製品パッケージに直接取り付けることができる。この点で、当業者であれば、２部品アダプタの弁構成要素部分を構造的に変更して、製品パッケージへの直接接続を可能にできることを理解するであろう（例えば、弁構成要素部分は、その底部上に、消費可能製品パッケージへの挿入及び取り付けを可能にする部分を含むことができる）。
【０１９３】
[00202]さらに別の実施形態において、栄養成分を個人に与えるための方法が提供される。この方法は、取付具を備え、製品を収容するように構成及び配置された可撓性プラスチックパウチを有するパッケージを準備することを含む。パッケージは、内部を定める本体を備え、出口及びコネクタを有する弁構成要素を有するアダプタをさらに含む。出口は、スリットを有するダイヤフラムを含む。コネクタは、弁構成要素を取付具に取り付けるように構成される。アダプタは、弁構成要素に取り付けて出口を閉鎖するように構成及び配置されたキャップ構成要素をさらに含む。この方法は、個人に、栄養成分を摂取するように指示することをさらに含む。
【０１９４】
[00203]さらにまた別の実施形態において、栄養成分を個人に与えるための方法が提供される。この方法は、取付具を備え、製品を収容するように構成及び配置された可撓性プラスチックパウチを有するパッケージを準備することを含む。パッケージは、内部を定める本体を備え、出口、コネクタ、及び回転可能な流れ制御装置を有する弁構成要素を有するアダプタをさらに含む。コネクタは、弁構成要素を取付具に取り付けるように構成される。アダプタは、弁構成要素に取り付けて出口を閉鎖するように構成及び配置されたキャップ構成要素をさらに含む。この方法は、個人が栄養成分を摂取するように指示することをさらに含む。
【０１９５】
[00204]さらに別の実施形態において、栄養成分を個人に与えるための方法が提供される。この方法は、取付具を備え、製品を収容するように構成及び配置された可撓性プラスチックパウチを有するパッケージを準備することを含む。パッケージは、内部を定める本体を備え、出口及びコネクタを有する弁構成要素を有するアダプタをさらに含む。出口は、出口から出ていく製品の流量を減少させるように構成及び配置される。コネクタは、弁構成要素を取付具に取り付けるように構成される。アダプタは、弁構成要素に取り付けて出口を閉鎖するように構成及び配置されたキャップ構成要素をさらに含む。この方法は、個人に、栄養成分を摂取するように指示することをさらに含む。
【０１９６】
[00205]別の実施形態において、栄養成分を個人に与えるための方法が提供される。この方法は、取付具を備え、製品を収容するように構成及び配置された可撓性プラスチックパウチを有するパッケージを準備することを含む。パッケージは、内部を定める本体を備え、出口及びコネクタを有する弁構成要素を有するアダプタをさらに含む。出口は、弁構成要素に圧力がかけられない限り、製品が出口から出ていかないように構成及び配置される。コネクタは、弁構成要素を取付具に取り付けるように構成される。アダプタは、弁構成要素に取り付けて出口を閉鎖するように構成及び配置されたキャップ構成要素をさらに含む。この方法は、個人に、栄養成分を摂取するように指示することをさらに含む。
【０１９７】
[00206]さらに別の実施形態において、栄養成分を個人に与えるための方法が提供される。この方法は、取付具を備え、製品を収容するように構成及び配置された可撓性プラスチックパウチを有するパッケージを準備することを含む。パッケージは、内部を定める本体を備え、コネクタと、実質的に細長い円筒形状を有する本体の延長部の端部の出口とを有する弁構成要素を有するアダプタをさらに含む。コネクタは、弁構成要素を取付具に取り付けるように構成される。アダプタは、弁構成要素に取り付けて出口を閉鎖するように構成及び配置されたキャップ構成要素をさらに含む。この方法は、個人に、栄養成分を摂取するように指示することをさらに含む。
【０１９８】
[00207]さらに別の実施形態において、栄養成分を個人に与えるための方法が提供される。この方法は、取付具を備え、製品を収容するように構成及び配置された可撓性プラスチックパウチを有するパッケージを準備することを含む。パッケージは、内部を定める本体を備え、コネクタと、略ダックビル形状を有する本体の延長部の端部の出口とを有する弁構成要素を有するアダプタをさらに含む。コネクタは、弁構成要素を取付具に取り付けるように構成される。アダプタは、弁構成要素に取り付けて出口を閉鎖するように構成及び配置されたキャップ構成要素をさらに含む。この方法は、個人に、栄養成分を摂取するように指示することをさらに含む。
【０１９９】
[00208]本明細書に記載される現在のところ好ましい実施形態に対する種々の変更及び修正が、当業者には明らかであることを理解されたい。そうした変更及び修正は、本主題の趣旨及び範囲から逸脱することなく、かつ、その意図した利益を損なうことなく、行うことができる。従って、そうした変更及び修正は、添付の特許請求の範囲に網羅されることが意図される。
【図１】
2016512979.tif 000003
【図２】
2016512979.tif 000004
【図３】
2016512979.tif 000005
【図４】
2016512979.tif 000006
【図５】
2016512979.tif 000007
【図６】
2016512979.tif 000008
【図７】
2016512979.tif 000009
【図８】
2016512979.tif 000010
【図９】
2016512979.tif 000011
【図１０】
2016512979.tif 000012
【国際調査報告】
2016512979.tif 000013
2016512979.tif 000014
2016512979.tif 000015
2016512979.tif 000016
2016512979.tif 000017
2016512979.tif 000018